(57)【要約】【課題】  作業者が建物等の屋根に上がることなく、屋根に積もった雪を簡易な構成にて容易に除雪することができる除雪用具を提供する。【解決手段】  除雪用具１は、作業者Ｐが把持する一対の作業棒２，２と、一対の作業棒２，２の先端部に連結され、屋根Ｒの除雪対象箇所に架け渡される鎖部材３と、鎖部材３の途中に配置され、雪Ｓに食い込ませるための複数の刃５ａを有する固定刃部材５と、鎖部材３と固定刃部材５との間に配置され、雪Ｓに食い込ませるための回転可能な刃１０ａを有する回転刃部材１０と、を備える。【選択図】  図１
0003198420.tif 000002
【実用新案登録請求の範囲】
【請求項１】
建物等の屋根に積もった雪を２人の作業者が除雪する際に使用する除雪用具であって、
前記作業者が把持する一対の作業棒と、
前記一対の作業棒の先端部に端部をそれぞれ着脱自在に連結され、前記屋根の除雪対象箇所に架け渡される鎖部材と、
前記鎖部材の途中に配置されると共に当該鎖部材に両端部を連結され、前記雪に食い込ませるための複数の刃を有する固定刃部材と、
を備えることを特徴とする除雪用具。
【請求項２】
前記鎖部材と前記固定刃部材との間に配置されると共に当該鎖部材及び当該固定刃部材に連結され、前記雪に食い込ませるための回転可能な刃を有する回転刃部材を更に備えることを特徴とする請求項１に記載の除雪用具。
【請求項３】
前記鎖部材、前記回転刃部材及び前記固定刃部材を直列に連結して所定の単位長さに構成した除雪ユニット部を複数備えると共に、当該除雪ユニット部同士を連結するユニット連結部材を備えることを特徴とする請求項２に記載の除雪用具。
【請求項４】
前記刃は、刃先に円みを付けた金属製の刃を所定の樹脂でコーティングしたもの又はガラス繊維強化樹脂を素材として成形されたものであることを特徴とする請求項１から請求項３のいずれか一つに記載の除雪用具。
【請求項５】
前記作業棒は、互いに連結可能に構成された単位作業棒を長手方向に複数連結することにより伸長可能に構成され、又は複数の筒状部材を入れ子式に配設することにより伸縮自在に構成されることを特徴とする請求項１から請求項４のいずれか一つに記載の除雪用具。
【考案の詳細な説明】
【技術分野】
【０００１】
本考案は、建物等の屋根に積もった雪を２人の作業者が手作業で除雪する際に使用する除雪用具に関するものである。
【背景技術】
【０００２】
従来より、建物等の屋根に積もった雪を作業者が手作業で除雪する場合、作業者自身が屋根に上がり、スコップやスノーダンプ等を用いて雪を地上に落とすことが行われてきた。このような除雪作業は、屋根の上での重労働を要すると共に転落等の危険をも伴うため、作業者が限定されていた。そのため、作業者が屋根に上がることなく、地上から除雪作業をできる手段が提供されている（例えば、特許文献１、特許文献２参照）。
【０００３】
すなわち、特許文献１に係る従来技術は、先端が傾斜した柄と、柄の先端に取り付けられた雪掻き板と、雪掻き板又はその近傍に一端が取り付けられた引きロープとを有する雪下し器を提供しており、このロープを引くことにより前記雪掻き板が雪に埋まり、雪を深く削り取ることができるとしている。
【０００４】
また、特許文献２に係る従来技術は、一端が屋根の棟の支持装置に取付けられ他端が地上まで延在するワイヤロープを設けた手段を提供しており、このワイヤロープの他端部を左右に移動させることにより雪庇を含む屋根面上の雪をかき下ろすことができるとしている。
【先行技術文献】
【特許文献】
【０００５】
【特許文献１】実開昭６２−３８９２２号公報
【特許文献２】特開２０１１−０８０２６３号公報
【考案の概要】
【考案が解決しようとする課題】
【０００６】
しかし、特許文献１に係る従来技術は、雪掻き板にかかる荷重や雪掻き板を屋根に配置する労力等を考慮すると、雪掻き板の面積や重量を小さくしなければならず、１回のロープ引き動作で除雪できる範囲が狭かった。そのため、広範囲の雪を下ろすには、上記ロープ引き動作を多数回繰り返さなければならず、多大な労力を要していた。
また、特許文献２に係る従来技術は、屋根の棟に予め大型の支持装置を設置しなければならず、構造が複雑化し、多大な設置コストがかかってしまうという課題があった。
【０００７】
本考案は、上述の課題に鑑みてなされたものであり、作業者が建物等の屋根に上がることなく、屋根に積もった雪を簡易な構成にて容易に除雪することができる除雪用具を提供することを目的とする。
【課題を解決するための手段】
【０００８】
本考案の除雪用具は、建物等の屋根に積もった雪を２人の作業者が除雪する際に使用する除雪用具であって、前記作業者が把持する一対の作業棒と、前記一対の作業棒の先端部に端部をそれぞれ着脱自在に連結され、前記屋根の除雪対象箇所に架け渡される鎖部材と、前記鎖部材の途中に配置されると共に当該鎖部材に両端部を連結され、前記雪に食い込ませるための複数の刃を有する固定刃部材と、を備えることを特徴とする。
【０００９】
また、本考案の除雪用具は、前記考案において、前記鎖部材と前記固定刃部材との間に配置されると共に当該鎖部材及び当該固定刃部材に連結され、前記雪に食い込ませるための回転可能な刃を有する回転刃部材を更に備えることを特徴とする。
【００１０】
また、本考案の除雪用具は、前記考案において、前記鎖部材、前記回転刃部材及び前記固定刃部材を直列に連結して所定の単位長さに構成した除雪ユニット部を複数備えると共に、当該除雪ユニット部同士を連結するユニット連結部材を備えることを特徴とする。
【００１１】
また、本考案の除雪用具は、前記考案において、前記刃は、刃先に円みを付けた金属製の刃を所定の樹脂でコーティングしたもの又はガラス繊維強化樹脂を素材として成形されたものであることを特徴とする。
【００１２】
また、本考案の除雪用具は、前記考案において、前記作業棒は、互いに連結可能に構成された単位作業棒を長手方向に複数連結することにより伸長可能に構成され、又は複数の筒状部材を入れ子式に配設することにより伸縮自在に構成されることを特徴とする。
【考案の効果】
【００１３】
本考案によれば、作業者が建物等の屋根に上がることなく、屋根に積もった雪を簡易な構成にて容易に除雪することができる除雪用具を提供することができる。
【図面の簡単な説明】
【００１４】
【図１】本考案の実施の形態に係る除雪用具１の使用状態を示す説明図である。
【図２】除雪用具１の全体を示す正面図である。
【図３】除雪用具１の要部を拡大して示す正面図である。
【図４】分解した作業棒２を示す正面図である。
【図５】ストラップ４を示す正面図である。
【図６】先端金具６を示す正面図である。
【図７】連結金具７を示す正面図である。
【図８】固定刃部材５を示す側面図である。
【図９】回転刃部材１０を示す説明図である。
【図１０】自動車１６に対する除雪作業の様子を示す説明図である。
【図１１】農業用ビニールハウス１７に対する除雪作業の様子を示す説明図である。
【図１２】３人の作業者Ｐによる除雪用具１の使用状態を示す説明図である。
【図１３】他のグリップ１８を示す正面図である。
【図１４】ストラップ４及びグリップ１９を有する他の単位作業棒２ａを示す正面図である。
【図１５】フック部６ｄを有する先端金具６Ａを示す正面図である。
【図１６】他の固定刃部材５Ａを示す斜視図である。
【図１７】他の固定刃部材５Ｂを示す斜視図である。
【図１８】他の作業棒２を示す正面図である。
【考案を実施するための形態】
【００１５】
本考案の実施の形態に係る除雪用具１について図１〜図１２を参照しながら詳細に説明する。図１は、本考案の実施の形態に係る除雪用具１の使用状態を示す説明図である。図２は、除雪用具１の全体を示す正面図である。図３は、除雪用具１の要部を拡大して示す正面図である。図４は、分解した作業棒２を示す正面図であり、図４(ａ)は、単位作業棒を示し、図４(ｂ)は、ストラップ４を装着した単位作業棒２ａを示している。
図５は、ストラップ４を示す正面図である。図６は、先端金具６を示す正面図であり、雌ねじ部６ｂを部分断面で示してある。図７は、連結金具７を示す正面図である。図８は、固定刃部材５を示す側面図である。図９は、回転刃部材１０を示す説明図であり、図９（ａ）は、回転刃部材１０を示す側面図、図９（ｂ）は、回転刃部材１０を示す正面図である。  図１０は、自動車１６に対する除雪作業の様子を示す説明図である。図１１は、農業用ビニールハウス１７に対する除雪作業の様子を示す説明図である。図１２は、３人の作業者Ｐによる除雪用具１の使用状態を示す説明図である。
【００１６】
図１に示すように、本考案の実施の形態に係る除雪用具１は、建物Ｈの屋根Ｒに積もった雪Ｓを２人の作業者Ｐ，Ｐが除雪する際に使用するものである。図１及び図２に示すように、この除雪用具１は、作業者Ｐが把持する一対の作業棒２，２と、一対の作業棒２，２の先端部に連結され、屋根Ｒの除雪対象箇所に架け渡される鎖部材３と、鎖部材３の途中に配置され、雪Ｓに食い込ませるための複数の刃５ａを有する固定刃部材５と、鎖部材３と固定刃部材５との間に配置され、雪Ｓに食い込ませるための回転可能な刃１０ａを有する回転刃部材１０と、を主として備える。
【００１７】
図２及び図４(ａ)に示すように、作業棒２は、互いに連結可能に構成された単位作業棒２ａを長手方向に複数連結することにより任意の長さに伸長可能に構成されている。すなわち、単位作業棒２ａは、図４(ａ)に示すように、所定の単位長さ（例えば、６０〜７０ｃｍ程度の長さが好ましい）に構成され、一端に雄ねじ部２ｂを有し、他端に雄ねじ部２ｂと係合可能な雌ねじ部２ｃを有する。この単位作業棒２ａは、例えば、直径が３〜４ｃｍのアルミニウム合金製の中空パイプにて軽量且つ握りやすく形成されることが好ましい。
【００１８】
また、図４(ｂ)に示すように、単位作業棒２ａの雌ねじ部２ｃには、作業者Ｐが手指などを通すためのストラップ４が着脱自在に装着されている。このストラップ４は、図５に示すように、ストラップ部４ａと、雌ねじ部２ｃと係合可能な雄ねじ部４ｂとからなる。
また、図３、図４(ａ)及び図６に示すように、単位作業棒２ａの雄ねじ部２ｂには、先端金具６が装着される。先端金具６は、図６に示すように、雌ねじ部６ｂを有する金具本体６ａと、連結部６ｃとからなる。雌ねじ部６ｂは、単位作業棒２ａの雄ねじ部２ｂと係合可能に構成されている。連結部６ｃは、略逆Ｕ字状に形成され、後述する連結金具７（図３及び図７参照）を介して鎖部材３と連結される。
【００１９】
鎖部材３は、図２及び図３に示すように、例えば、金属製のサッシュ鎖（サッシュチェーン、打ち抜き鎖）として構成され、重量・強度・耐食性などの観点からステンレス製であることが好ましい。この鎖部材３を構成する一つの鎖（一つのリング）の全体形状は、ほぼ三角形であり、雪Ｓ（図１参照）に食い込み易くなっている。また、図３に示す鎖部材３の全体の長さ（５つのリングの長さ）は、例えば、１５ｃｍ程度に構成されることが好ましい。
【００２０】
固定刃部材５は、図２及び図３に示すように、鎖部材３の途中に配置され、後述する回転刃部材１０を介して鎖部材３と連結されている。この連結には、後述する連結金具７が用いられる。固定刃部材５は、図３及び図８に示すように、平板部５ｂと、この平板部５ｂの下端縁から延び、雪Ｓ（図１参照）に食い込ませるための複数（例えば、５つ）の刃５ａと、連結穴５ｃと、を備える。例えば、固定刃部材５の長辺は２０ｃｍ程度が好ましく、短辺は３ｃｍ程度が好ましい。また、刃５ａの突出長さは、２ｃｍ程度が好ましい。平板部５ｂと刃５ａとがなす角度Ｔは、例えば、１３５〜１４０度程度の鈍角が好ましい。このように設定することで、刃５ａを雪Ｓ（図１参照）に食い込み易くすることができる。
【００２１】
また、固定刃部材５の刃５ａは、正面視及び側面視における形状が、先端に向かって徐々に細くなるように形成され、刃先に円みを付けている。刃先をこのように構成することで、刃５ａが雪Ｓ（図１参照）に食い込む際の抵抗を少なくすることができる。刃５ａは、上記刃先に円みを付けた金属製の刃を所定の樹脂でコーティングしたもの又はガラス繊維強化樹脂を素材として成形されたものであることが好ましい。除雪の際に、刃５ａで屋根Ｒ（図１参照）等に傷を付けないようにするためである。
上記所定の樹脂としては、自己潤滑性、耐摩耗性、撥水性などに優れた樹脂、例えば、シリコーン樹脂（ケイ素樹脂）などが好ましい。また、ガラス繊維強化樹脂として、例えば、ガラス繊維強化ナイロン樹脂などが好ましい。
【００２２】
連結金具７は、図７に示すように、細長い楕円形状の金属製リング部材であり、例えば、いわゆるナスカンとして構成されている。すなわち、連結金具７は、通常はバネ（図示せず）の付勢力でリングは閉じており、レバー７ａをリング内側へ押し下げるとリングが開く構成となっている。レバー７ａは、軸７ｂによって回動自在に軸支されている。この連結金具７は、例えば、アルミニウム合金にて形成され、後述するユニット連結部材としても機能する。
【００２３】
回転刃部材１０は、図２及び図３に示すように、鎖部材３と固定刃部材５との間に配置され、これらと上記連結金具７によって着脱自在に連結される。この回転刃部材１０は、図９に示すように、雪Ｓ（図１参照）に食い込ませるための回転可能な刃１０ａと、この刃１０ａを回転自在に軸支する軸部１０ｂと、この軸部１０ｂの両端部に連結されたリング部１０ｃと、を備える。
【００２４】
刃１０ａは、正面視及び側面視における形状が、先端に向かって徐々に細くなるように形成され、刃先に円みを付けている。刃先をこのように構成することで、刃１０ａが雪（図１参照）に食い込む際の抵抗を少なくすることができる。なお、図９(ａ)において、説明の便宜上、刃１０ａの図示を一部省略している。刃１０ａは、上記刃先に円みを付けた金属製の刃を所定の樹脂でコーティングしたもの又はガラス繊維強化樹脂を素材として成形されたものであることが好ましい。除雪の際に、刃１０ａで屋根Ｒ（図１参照）等に傷を付けないようにするためである。これら樹脂の好ましい具体例は、前記固定刃部材５の刃５ａの場合と同様である。リング部１０ｃ，１０ｃには、上記連結金具７がそれぞれ装着（連結）される。
【００２５】
図２に示すように、除雪用具１は、以上のように構成された鎖部材３、回転刃部材１０及び固定刃部材５を直列に連結して所定の単位長さに構成した除雪ユニット部１５を複数備える。この複数の除雪ユニット部１５同士は、ユニット連結部材としての上記連結金具７によって連結される。
【００２６】
次に、除雪用具１の使用方法を図１及び図２等を参照しながら説明する。ここで、図１に示す座標軸Ｘは屋根Ｒの軒に対して平行な方向を示し、座標軸Ｙは屋根Ｒの傾斜面に対して平行な方向を示し、座標軸Ｚは鉛直方向を示している。
先ず、作業者Ｐは、必要数の除雪ユニット部１５（図２参照）を連結金具７によって予め連結しておく。また、作業棒２も必要な長さ（高さ）となるように、複数の単位作業棒２ａ（図２及び図３参照）を予め連結しておく。
【００２７】
そして、図２に示すように、所定長さに連結した除雪ユニット部１５（以下、単に除雪ユニット部１５と記す）の両端部の鎖部材３に、作業棒２の先端部をそれぞれ連結しておく。すなわち、図２及び図３に示すように、作業棒２の先端に装着した先端金具６と鎖部材３とを連結金具７（図７参照）を介して連結しておく。これらの連結作業は、地上において行われる。
【００２８】
次に、２人の作業者Ｐ，Ｐは、屋根Ｒに上らずに地上から作業棒２を把持し、除雪ユニット部１５が弛まないようにしながら、除雪ユニット部１５を屋根Ｒの除雪対象箇所にＸ方向に架け渡す。そして、２人の作業者Ｐ，Ｐは、両手引き鋸を使用する要領で、除雪ユニット部１５をＸ方向に往復移動させつつ、Ｚ方向にも所定量移動させる。これにより、雪Ｓは、固定刃部材５の刃５ａによって切断されると共に、鎖部材３によっても切断される。すなわち、除雪ユニット部１５は、雪Ｓの中にＺ方向に食い込んでいく。
【００２９】
除雪ユニット部１５が雪Ｓに対して所定量食い込んだら、２人の作業者Ｐ，Ｐは、除雪ユニット部１５をＹ方向に所定量引き下ろす。すると、雪Ｓは、主に固定刃部材５の平板部５ｂ（図３参照）によってＹ方向に押圧される共に、鎖部材３によってもＹ方向に押圧される。
固定刃部材５は、図８に示すように、角度Ｔで折曲しているため、Ｙ方向に進む際に、先細り状の刃５ａが雪Ｓに食い込み易い。また、複数の刃５ａによる鋸効果により、凍結した雪Ｓをも切断することができる。更に、回転刃部材１０の刃１０ａが、雪Ｓからの押圧力（反力）を受けつつ回転し、雪Ｓの中に食い込んでいく。
【００３０】
これにより、雪Ｓは、Ｘ方向に沿って切断を促進されつつ、Ｙ方向に引き下ろされる。その結果、屋根Ｒの広範囲の雪Ｓを容易に地上に落下させることができる。以上の作業を他の除雪対象箇所に対しても必要回数、繰り返せばよい。なお、除雪ユニット部１５の各方向への移動距離は、２人の作業者Ｐ，Ｐの体力、雪質（硬さ）、積雪量などに応じて適宜調節すればよい。
【００３１】
以上に説明した実施の形態の除雪用具１によれば、以下に示す各効果が奏される。実施の形態の除雪用具１は、２人の作業者Ｐ，Ｐが把持する一対の作業棒２，２と、一対の作業棒２，２の先端部に連結され、屋根Ｒの除雪対象箇所に架け渡される鎖部材３と、鎖部材３の途中に配置され、雪Ｓに食い込ませるための複数の刃５ａを有する固定刃部材５と、鎖部材３と固定刃部材５との間に配置され、雪Ｓに食い込ませるための回転可能な刃１０ａを有する回転刃部材１０と、を主として備える。
そのため、地上の２人の作業者Ｐ，Ｐが、除雪用具１の除雪ユニット部１５を両手引き鋸を使用する要領でＸ方向に往復移動させると共に、Ｙ方向に引き下ろすことにより、屋根Ｒの広範囲の雪Ｓを主として固定刃部材５によって切断し、落下させることができる。したがって、作業者Ｐが建物Ｈの屋根Ｒに上がることなく、屋根Ｒに積もった雪Ｓを簡易な構成にて容易に除雪することができる。
【００３２】
また、除雪用具１は、鎖部材３と固定刃部材５との間に配置されると共に鎖部材３及び固定刃部材５に連結され、雪Ｓに食い込ませるための回転可能な刃１０ａを有する回転刃部材１０を備える。そのため、除雪ユニット部１５をＹ方向に引き下ろすことにより、回転刃部材１０の刃１０ａが、雪Ｓからの押圧力（反力）を受けつつ回転し、雪Ｓの中に食い込んでいき、Ｘ方向に沿って雪Ｓの切断（分断）を促進することができる。
【００３３】
また、除雪用具１の作業棒２は、互いに連結可能に構成された単位作業棒２ａを長手方向に複数連結することにより伸長可能に構成されている。そのため、除雪対象箇所の高さに応じて、作業棒２の長さを容易に調節することができる。また、作業棒２を使用しない場合には、連結を外してコンパクトに収納することができる。
【００３４】
また、除雪用具１は、鎖部材３、回転刃部材１０及び固定刃部材５を直列に連結して所定の単位長さに構成した除雪ユニット部１５を複数備えると共に、除雪ユニット部１５同士を連結する連結金具７を備える。そのため、除雪対象箇所の広さ（Ｘ方向の長さ）に応じて、除雪ユニット部１５の長さを容易に調節することができる。
【００３５】
また、固定刃部材５の刃５ａは、正面視及び側面視における形状が、先端に向かって徐々に細くなるように形成され、刃先に円みを付けている。そのため、刃５ａが雪Ｓ（図１参照）に食い込む際の抵抗を少なくすることができる。
更に刃５ａは、上記刃先に円みを付けた金属製の刃をシリコーン樹脂（ケイ素樹脂）でコーティングされ、又はガラス繊維強化ナイロン樹脂を素材として成形されている。そのため、除雪の際に、刃５ａで屋根Ｒ（図１参照）等に傷を付けないようにすることができる。
【００３６】
また、除雪用具１は、鎖部材３、回転刃部材１０及び固定刃部材５を直列に連結して所定の長さに形成した除雪ユニット部１５（図２参照）を備える。すなわち、除雪ユニット部１５が棒状部材のような剛性を有しておらず、長手方向の形状を自由に変形することができる。そのため、除雪対象物の除雪面が、平坦面に加え適宜湾曲等しているものであっても、その表面形状に沿って上記鎖部材３等を柔軟に配置・当接することができ、汎用性がきわめて高い。
【００３７】
したがって、除雪用具１によれば、例えば、図１０に示すように、自動車１６の屋根Ｒに対しても容易に除雪を行うことができる。この場合、鎖部材３、回転刃部材１０及び固定刃部材５の連結長さを短く形成している。そして、ストラップ４（図５及び図６参照）の雄ねじ部４ｂを先端金具６の雌ねじ部６ｂに係合させ、連結部６ｃと連結金具７とを連結金具７で連結している。このように構成することにより、除雪対象が狭く且つ表面形状が適宜湾曲している場合であっても、容易に除雪することができる。
【００３８】
また、除雪用具１は、上記と同様の理由から、図１１に示すように、農業用ビニールハウス１７の屋根Ｒの除雪に対しても使用することができる。この場合は、屋根Ｒの大きさに応じて、鎖部材３、回転刃部材１０及び固定刃部材５の連結長さを長く設定すればよい。
【００３９】
また、除雪用具１は、複数の除雪ユニット部１５を連結金具７で連結して構成されている。そのため、図１２に示すように、適宜位置の連結金具７や鎖部材３（鎖の穴）に対して、他の作業棒２を上述した要領にて連結することができる。すなわち、必要に応じて、作業者Ｐを容易に増員することもできる。
【００４０】
以上、本考案の一実施形態について説明したが、本考案は、前述した実施の形態に制限されるものではなく、適宜変更が可能である。以下の説明においては、前述した実施の形態とは異なる点を中心に説明し、前述した実施の形態と同様の構成については、同じ符号を付し、詳細な説明を省略する。また、特に説明しない点は、前述した実施の形態についての説明が適宜適用又は援用される。
【００４１】
例えば、前記実施の形態においては、作業棒２の基端部にストラップ４（図４及び図５参照）を用いるものとして説明したが、これに限定されず、図１３に示すように、ストラップ４の代わりに、剛性の高いグリップ１８を用いてもよい。ここで、図１３は、他のグリップ１８を示す正面図である。
グリップ１８は、Ｔ字状のグリップ本体１８ａと、雄ねじ部１８ｂとからなる。雄ねじ部１８ｂは、単位作業棒２ａの雌ねじ部２ｃ（図４(ａ)参照）に係合可能に構成されている。このようなグリップ１８を用いることにより、作業者Ｐが作業棒２を把持し易くなり、作業性を更に向上することができる。なお、グリップ１８に例えばゴムシートを貼付するなど、適宜の滑り止めを設けてもよい。
【００４２】
また、図１４に示すように、ストラップ４とグリップ１９とを併用した単位作業棒２ａを構成してもよい。ここで、図１４は、ストラップ４及びグリップ１９を有する他の単位作業棒２ａを示す正面図である。このようなストラップ４とグリップ１９とを併用した単位作業棒２ａを用いることにより、作業者Ｐが作業棒２を把持し易くなり、作業性を更に向上することができる。
【００４３】
また、前記実施の形態においては、作業棒２の先端部に先端金具６（図３及び図６参照）を用いるものとして説明したが、これに限定されず、図１５に示すように、先端金具６Ａを用いてもよい。ここで、図１５は、フック部６ｄを有する先端金具６Ａを示す正面図である。先端金具６Ａは、連結金具７を用いることなく、鎖部材３に直接連結可能なフック部６ｄを有している。そのため、部品点数の削減によるコストダウンを図ることができる。
【００４４】
また、前記実施の形態においては、刃５ａを有する固定刃部材５（図３参照）を用いるものとして説明したが、これに限定されず、図１６又は図１７に示すような固定刃部材５Ａ，５Ｂを用いてもよい。ここで、図１６は、他の固定刃部材５Ａを示す斜視図である。図１７は、他の固定刃部材５Ｂを示す斜視図である。
図１６に示すように、固定刃部材５Ａは、平板部５ｂの下端縁に、マキビシ形状の刃５ｄを４つ備えている。また、図１７に示すように、固定刃部材５Ｂは、連結棒５ｅに、マキビシ形状の刃５ｄを４つ備えている。連結棒５ｅの両端部には、連結リング５ｆを備える。この連結リング５ｆには、連結金具７が連結されるようになっている。
このような固定刃部材５Ａ，５Ｂを備えることにより、雪Ｓへの食い込みや切断を効果的に行うことができる。なお、固定刃部材５Ａ，５Ｂの刃５ｄの大きさ（突出長さ）、数、形状等は、雪質や積雪量等を考慮して適宜設定すればよい。
【００４５】
また、前記実施の形態においては、作業棒２は、単位作業棒２ａを長手方向に複数連結するもの（図２及び図４参照）として説明したが、これに限定されず、図１８に示すように、複数の筒状部材２０を入れ子式に配設することにより伸縮自在に構成することもできる。ここで、図１８は、他の作業棒２を示す正面図であり、図１８（ａ）は、作業棒２を縮めた状態を示し、図１８（ｂ）は、作業棒２を伸長した状態を示している。
固定ねじ２１は、所定長さに伸長した各筒状部材２０の位置を固定するものである。このような入れ子式の作業棒２によっても、前記実施の形態で示した作業棒２と同様の効果を奏するほか、更に収納性を高めることができる。
【００４６】
また、前記実施の形態においては、鎖部材３、回転刃部材１０及び固定刃部材５を直列に連結して除雪ユニット部１５を構成するものとして説明したが、これに限定されず、鎖部材３及び固定刃部材５を直列に連結して除雪ユニット部１５を構成してもよい。すなわち、雪質や積雪量等を考慮して回転刃部材１０の配置を省略してもよい。
【符号の説明】
【００４７】
Ｈ  建物
Ｐ  作業者
Ｒ  屋根
Ｓ  雪
１  除雪用具
２  作業棒
２ａ  単位作業棒
３  鎖部材
５，５Ａ，５Ｂ  固定刃部材
５ａ、５ｄ  刃
７  連結金具（ユニット連結部材）
１０  回転刃部材
１０ａ  刃
１５  除雪ユニット部
２０  筒状部材
【図１】
0003198420.tif 000003
【図２】
0003198420.tif 000004
【図３】
0003198420.tif 000005
【図４】
0003198420.tif 000006
【図５】
0003198420.tif 000007
【図６】
0003198420.tif 000008
【図７】
0003198420.tif 000009
【図８】
0003198420.tif 000010
【図９】
0003198420.tif 000011
【図１０】
0003198420.tif 000012
【図１１】
0003198420.tif 000013
【図１２】
0003198420.tif 000014
【図１３】
0003198420.tif 000015
【図１４】
0003198420.tif 000016
【図１５】
0003198420.tif 000017
【図１６】
0003198420.tif 000018
【図１７】
0003198420.tif 000019
【図１８】
0003198420.tif 000020